(57)【特許請求の範囲】
【請求項１】
先端部に中心軸線と直交する台金が３方向又は４方向に形成され、上記各台金間に繰粉排出溝が３か所又は４か所形成され、先端面に複数のチップが装着されたビット、及び、該ビットを支持する中空ロッドよりなる開孔装置において、
上記ビットは後端部に上記中心軸線を中心とする中空の径小短管が形成され、該径小短管の外周には雄螺子が形成されており、
上記ビットと上記中空ロッドの先端部との間に介在するものであって、上記中心軸線を中心とする中空のビットスリーブを設け、該ビットスリーブは、上記ビット側は内周面に上記雄螺子に螺合する雌螺子が形成された径大管部により形成され、上記中空ロッド側は、上記中空ロッドの上記先端部内に挿入可能であって上記径大管部の後端部に一体形成された径小管部により形成されており、
上記ビットスリーブの上記径大管部を上記ビットの雄螺子に螺合した状態で、上記ビットスリーブの上記径小管部を上記中空ロッドの上記先端部内に挿入し、上記ビットスリーブと上記中空ロッドの上記先端部とを溶接固定したものであり、
上記中空ロッドの肉厚よりも上記ビットスリーブの上記径大管部の肉厚が大となるように形成されている開孔装置。
【請求項２】
上記ビットの上記径小短管の上記雄螺子と、上記ビットスリーブの上記径大管部の上記雌螺子との螺合関係は、逆螺子となるように形成されている請求項１記載の開孔装置。
【請求項３】
上記ビットスリーブの上記径大管部の上記後端部には上記径小管部に連続するテーパ環状部が設けられると共に、上記ビットスリーブの上記径小管部には、上記中空ロッドの上記先端部の内周縁が係合する環状段部が形成されており、
上記中空ロッドの上記先端部を上記径小管部に接続した状態において、上記中空ロッドの上記内周縁が上記環状段部に当接するように構成し、上記内周縁が上記環状段部に当接した状態において、上記テーパ環状部と上記中空ロッドの上記先端部との間に溶接用環状溝が形成されるように構成された請求項１又は２記載の開孔装置。
【請求項４】
上記ビットスリーブの上記径大管部の外周面と上記中空ロッドの外周面は面一状態となるように構成され、
かつ上記径大管部の上記外周面及び上記中空ロッドの上記外周面は、上記ビットの上記繰粉排出溝の最内周部と面一又は上記最内周部より上記中心軸線側に設けられている請求項１〜３の何れかに記載の開孔装置。
【請求項５】
上記ビットスリーブと上記中空ロッドとの溶接部の外周部は、上記ビットの上記繰粉排出溝の上記最内周部と面一又は上記最内周部より上記中心軸線側に設けられている請求項４記載の開孔装置。
【請求項６】
先端部に中心軸線と直交する台金が３方向又は４方向に形成され、各台金間に繰粉排出溝が３か所又は４か所形成され、先端面に複数のチップが装着され、後端部に上記中心軸線を中心とする中空の径小短管が形成され、該径小短管の外周には雄螺子が逆螺子に形成された開孔用ビットと、該開孔用ビットにビットスリーブを装着したビットスリーブ付開孔用ビットであって、
上記ビットスリーブは、上記中心軸線を中心とする中空のビットスリーブにより構成され、当該ビットスリーブは、上記開孔用ビットに接続される先端部側は、内周面に上記雄螺子に螺合する雌螺子が形成された径大管部により形成され、中空ロッドに接続される後端部側は、中空ロッドの先端部内に挿入可能であって上記径大管部の後端部に一体形成された径小管部により形成されており、
上記ビットスリーブの上記径大管部に上記開孔用ビットの上記径小短管の雄螺子が螺合接続されたものであり、
上記各繰粉排出溝の上記中心軸線方向の深さは、中空の上記ビットスリーブの雌螺子を上記径小短管に螺合した状態において、上記ビットスリーブの外周面が上記繰粉排出溝の最内周部に一致するか、又は、上記ビットスリーブの上記外周面が上記繰粉排出溝の上記最内周部の位置よりも上記中心軸線側に位置し得る深さに形成したものであり、
上記ビットスリーブの上記径大管部の肉厚は、当該ビットスリーブに接続される中空ロッドの肉厚より大であるビットスリーブ付開孔用ビット。
【発明の詳細な説明】
【技術分野】
【０００１】
本発明は、高炉の出銑口、廃棄物溶融炉のスラグ排出口等を開孔するための開孔用ビット及び該ビットを支持する中空ロッドから構成される開孔装置であって、ビットスリーブ付の開孔装置、該開孔装置に使用する開孔用ビット、該開孔装置に使用するビットスリーブ付開孔用ビットに関するものである。
【背景技術】
【０００２】
従来、上記出銑口やスラグ排出口の開孔装置では、先端部に中心軸線（推進方向）と直交する台金が３方向又は４方向（複数）に形成され、ビットの中央先端面や上記台金の先端面に超硬合金による複数のチップを設け（特許文献１，２）、又は硬化肉盛材（特許文献３）を装着した。
【０００３】
これらの開孔装置は、先端のビットの後方の小径短管に中空ロッドの前端を螺子止め、或いは、溶接することで構成されていた（特許文献１〜３）。
【先行技術文献】
【特許文献】
【０００４】
【特許文献１】特開２００６−３０７２５８号公報
【特許文献２】特開２０１４−１８５３９６号公報
【特許文献３】特開２００９−９７１４５号公報
【発明の概要】
【発明が解決しようとする課題】
【０００５】
ところで、上記特許文献１〜３の開孔装置は、ビットの後方の小径短管に中空ロッド先端が直接、螺子止め又は溶接されていたため、ビットと中空ロッドの接続部の強度を確保するため、中空ロッドの全体の肉厚を大きく（厚く）する必要があった。そのため、ビットと中空ロッドにより構成される開孔装置の重量が大となり、開孔装置の中空ロッド後端を、開孔機のシャンクロッドに接続する際の取り回し性が低いという課題があった。
【０００６】
本発明は、上記従来の課題に鑑みてなされたものであり、ビットと中空ロッドとの接続部にビットスリーブを介在させることにより、従来装置に比べてより肉厚の薄い中空ロッドを使用可能としてハンドリング性を改善した開孔装置、ビットスリーブを装着可能な開孔用ビット、ビットスリーブ付開孔用ビットを提供することを目的とする。
【０００７】
また、本発明は、ビットスリーブを用いた場合であっても、開孔時に繰粉の排出性の良い開孔装置、ビットスリーブを装着可能な開孔用ビット、ビットスリーブ付開孔装置を提供することを目的とする。
【課題を解決するための手段】
【０００８】
上記の目的を達成するため本発明は、
第１に、先端部に中心軸線と直交する台金が３方向又は４方向に形成され、上記各台金間に繰粉排出溝が３か所又は４か所形成され、先端面に複数のチップが装着されたビット、及び、該ビットを支持する中空ロッドよりなる開孔装置において、上記ビットは後端部に上記中心軸線を中心とする中空の径小短管が形成され、該径小短管の外周には雄螺子が形成されており、上記ビットと上記中空ロッドの先端部との間に介在するものであって、上記中心軸線を中心とする中空のビットスリーブを設け、該ビットスリーブは、上記ビット側は内周面に上記雄螺子に螺合する雌螺子が形成された径大管部により形成され、上記中空ロッド側は、上記中空ロッドの上記先端部内に挿入可能であって上記径大管部の後端部に一体形成された径小管部により形成されており、上記ビットスリーブの上記径大管部を上記ビットの雄螺子に螺合した状態で、上記ビットスリーブの上記径小管部を上記中空ロッドの上記先端部内に挿入し、上記ビットスリーブと上記中空ロッドの上記先端部とを溶接固定したものであり、上記中空ロッドの肉厚よりも上記ビットスリーブの上記径大管部の肉厚が大となるように形成されている開孔装置により構成される。
【０００９】
このように構成すると、ビットスリーブの肉厚を大きくすることで、ビットと中空ロッドとの接続部を強化しながら、中空ロッドの肉厚を薄くすることができ、開孔装置全体の軽量化を実現することができる。このように構成すると、ビットと中空ロッドとの接続部を強化しながら、中空ロッドの肉厚を薄くすることができ、開孔装置全体の軽量化を実現することができる。
【００１２】
第２に、上記ビットの上記径小短管の上記雄螺子と、上記ビットスリーブの上記径大管部の上記雌螺子との螺合関係は、逆螺子となるように形成されている上記第１記載の開孔装置により構成される。
【００１３】
このように構成すると、上記ビットスリーブ７を上記ビット１の雄螺子に螺合させるには、ビットスリーブ７を左回しとする。これにより、開孔時は中空ロッドを逆回転（左回転）させることにより、ビットとスリーブとの離脱を防止することができる。また、開孔後、ビットを交換する際は、中空ロッドを正回転（右回転）させることにより、スリーブからビットを容易に離脱することができる。
【００１４】
第３に、上記ビットスリーブの上記径大管部の上記後端部には上記径小管部に連続するテーパ環状部が設けられると共に、上記ビットスリーブの上記径小管部には、上記中空ロッドの上記先端部の内周縁が係合する環状段部が形成されており、上記中空ロッドの上記先端部を上記径小管部に接続した状態において、上記中空ロッドの上記内周縁が上記環状段部に当接するように構成し、上記内周縁が上記環状段部に当接した状態において、上記テーパ環状部と上記中空ロッドの上記先端部との間に溶接用環状溝が形成されるように構成された上記第１又は２記載の開孔装置により構成される。
【００１５】
このように構成すると、中空ロッドの先端部にビットスリーブの径小管部を挿入することにより、溶接用環状溝が形成されるので、ビットスリーブと上記中空ロッドとの溶接を容易に行うことができる。
【００１６】
第４に、上記ビットスリーブの上記径大管部の外周面と上記中空ロッドの外周面は面一状態となるように構成され、かつ上記径大管部の上記外周面及び上記中空ロッドの上記外周面は、上記ビットの上記繰粉排出溝の最内周部と面一又は上記最内周部より上記中心軸線側に設けられている上記第１〜３の何れかに記載の開孔装置により構成される。
【００１７】
このように構成すると、ビットの繰粉排出溝の後方エリアに、繰粉の排出を阻害するものがないため、円滑に繰粉を排出することができ、開孔動作を円滑に行うことが可能な開孔装置を実現できる。
【００１８】
第５に、上記ビットスリーブと上記中空ロッドとの溶接部の外周部は、上記ビットの上記繰粉排出溝の上記最内周部と面一又は上記最内周部より上記中心軸線側に設けられている上記第４記載の開孔装置により構成される。
【００１９】
このように構成すると、ビットの繰粉排出溝の後方エリアに、繰粉の排出を阻害する溶接部がないため、円滑に繰粉を排出することができ、開孔動作を円滑に行うことが可能な開孔装置を実現できる。
【００２０】
第６に、先端部に中心軸線と直交する台金が３方向又は４方向に形成され、各台金間に繰粉排出溝が３か所又は４か所形成され、先端面に複数のチップが装着され、後端部に上記中心軸線を中心とする中空の径小短管が形成され、該径小短管の外周には雄螺子が逆螺子に形成された開孔用ビットと、該開孔用ビットにビットスリーブを装着したビットスリーブ付開孔用ビットであって、上記ビットスリーブは、上記中心軸線を中心とする中空のビットスリーブにより構成され、当該ビットスリーブは、上記開孔用ビットに接続される先端部側は、内周面に上記雄螺子に螺合する雌螺子が形成された径大管部により形成され、中空ロッドに接続される後端部側は、中空ロッドの先端部内に挿入可能であって上記径大管部の後端部に一体形成された径小管部により形成されており、上記ビットスリーブの上記径大管部に上記開孔用ビットの上記径小短管の雄螺子が螺合接続されたものであり、上記各繰粉排出溝の上記中心軸線方向の深さは、中空の上記ビットスリーブの雌螺子を上記径小短管に螺合した状態において、上記ビットスリーブの外周面が上記繰粉排出溝の最内周部に一致するか、又は、上記ビットスリーブの上記外周面が上記繰粉排出溝の上記最内周部の位置よりも上記中心軸線側に位置し得る深さに形成したものであり、上記ビットスリーブの上記径大管部の肉厚は、当該ビットスリーブに接続される中空ロッドの肉厚より大であるビットスリーブ付開孔用ビットにより構成される。
【００２１】
このような構成の開孔用ビットによると、中空のビットスリーブを接続した状態においても、ビットスリーブの外周面がビットの各繰粉排出溝の最内周部より外半径方向に突出することはないので、ビットスリーブを使用しても開孔時に円滑な繰粉排出を行い得る開孔用ビットを実現し得る。このような構成のビットスリーブ付開孔用ビットによると、ビットスリーブの径大管部の肉厚を大とすることにより、開孔用ビットと中空ロッドとの接続部の強度を確保することができ、これにより中空ロッドの肉厚を比較的薄く形成することが可能となり、開孔装置の軽量化を実現することができる。このように構成すると、ビットスリーブを接続した状態においても、ビットスリーブの外周面がビットの各繰粉排出溝の最内周部より外半径方向に突出していないので、ビットスリーブを使用しても開孔時に円滑な繰粉排出を行い得るビットスリーブ付開孔用ビットを実現し得る。このように構成すると、ビットと中空ロッドの接続部の強度を確保しながら、中空ロッドの肉厚を比較的薄く形成し得るので開孔装置全体を軽量化することが可能となる。
【発明の効果】
【００２８】
本発明によれば、ビットスリーブの肉厚を大きくすることで、ビットと中空ロッドとの接続部を強化しながら、中空ロッドの肉厚を薄くすることができ、開孔装置全体の軽量化を実現し、ハンドリング性の良好な開孔装置を実現することができる。
【００２９】
また、上記ビットスリーブと上記ビットとの螺合を逆螺子としたので、開孔時は中空ロッドを逆回転（左回転）させることにより、ビットとスリーブとの離脱を防止することができ、また、開孔後、ビットを交換する際は、中空ロッドを正回転（右回転）させることにより、スリーブからビットを容易に離脱することができる。
【００３０】
また、中空ロッドの先端部にビットスリーブの径小管部を挿入することにより、溶接用環状溝が形成されるので、ビットスリーブと上記中空ロッドとの溶接を容易に行うことができる。
【００３１】
また、ビットの繰粉排出溝の後方エリアに、繰粉の排出を阻害するものがないため、円滑に繰粉を排出することができ、開孔動作を円滑に行うことが可能な開孔装置を実現できる。
【００３２】
また、ビットスリーブを接続した状態においても、ビットスリーブの外周面がビットの各繰粉排出溝の最内周部より外半径方向に突出していないので、ビットスリーブを使用しても開孔時に円滑な繰粉排出を行い得る開孔用ビットを実現し得る。
【００３３】
また、ビットスリーブの径大管部の肉厚を大とすることにより、開孔用ビットと中空ロッドの接続部の強度を確保することができ、これにより中空ロッドの肉厚を比較的薄く形成することが可能となり、開孔装置の軽量化を可能としたビットスリーブ付開孔用ビットを実現し得る。
【００３４】
また、ビットスリーブを接続した状態においても、ビットスリーブの外周面がビットの各繰粉排出溝の最内周部より外半径方向に突出することはないので、ビットスリーブを使用しても開孔時に円滑な繰粉排出を行い得るビットスリーブ付開孔用ビットを実現し得る。
【図面の簡単な説明】
【００３５】
【図１】本発明に係る開孔装置の側面断面図である。
【図２】同上装置の分解側面断面図である。
【図３】（ａ）、（ｂ）共に同上装置のビットの正面図（チップは省略）である。
【図４】（ａ）、（ｂ）共に同上装置のビットの正面図（チップは省略）である。
【図５】開孔機（ドリル本体）に中空ロッドを装着した状態の側面図である。
【図６】同上装置にて高炉を開孔する状態を示す側面断面図である。
【発明を実施するための形態】
【００３６】
以下、本発明に係る開孔装置について詳細に説明する。
【００３７】
図１、図２に示すように、本発明の高炉の開孔装置１０は、先端部２に中心軸線Ｐと直交する台金３が３方向又は４方向に形成され（図３、図４参照）、各台金３，３間に繰粉排出溝４が３か所又は４か所形成され、先端面２ａに複数のチップ（例えば超硬チップ）５が装着されたビット１、及び、該ビット１を支持する中空ロッド６、及び、上記ビット１と上記中空ロッド６間に介在する中空のビットスリーブ７とから構成される。
【００３８】
上記ビット１は後端部に上記中心軸線Ｐを中心とする中空の径小短管１ａが形成され、該径小短管１の外周には雄螺子１ａ’が形成されている。
【００３９】
上記ビットスリーブ７は、上記中心軸線Ｐを中心とし、上記ビット１と上記中空ロッド６の先端部６ａとの間に介在する中空円筒状のもので、上記ビット１側（先端部側）は内周面に上記雄螺子１ａ’に螺合する雌螺子８が形成された径大管部７ａにより形成され、上記中空ロッド６側（後端部側）は、上記中空ロッド６先端部６ａ内に挿入可能であって、上記径大管部７ａ後端部に一体形成された径小管部７ｂにより形成されている。
【００４０】
そして、上記ビットスリーブ７の径大管部７ａを上記ビット１の雄螺子１ａ’に螺合した状態で、上記中空ロッド６先端部６ａから上記ビットスリーブ７の径小管部７ｂを上記中空ロッド６先端部６ａ内に挿入し、上記中空ロッド６先端部６ａと上記ビットスリーブ７（径小管部７ｂ）とを溶接固定することにより高炉等の開孔装置１０を構成するものである。
【００４１】
上記ビットスリーブ７の上記径大管部の肉厚Ｔ１は、上記中空ロッド６の肉厚Ｔ２よりも大となるように形成されている（Ｔ１＞Ｔ２）。勿論、上記中空ロッド６の肉厚Ｔ２は、従来の中空ロッド（ビットスリーブ７を用いない従来の中空ロッド）の肉厚よりも薄く形成されている。
【００４２】
このように構成することにより、肉厚の大きいビットスリーブ７によって、ビット１と中空ロッド６との接続部が強化されると共に、中空ロッド６の肉厚Ｔ２は、上記ビットスリーブの径大管部７ａの肉厚Ｔ１より薄く、かつ従来の中空ロッドの肉厚より薄く形成することができるので、中空ロッド６の軽量化、延いては中空ロッド６及びビット１からなる開孔装置１０の軽量化を実現することができる。
【００４３】
また、上記ビット１の径小短管１ａの雄螺子１ａ’と、上記ビットスリーブ７の径大管部７ａの雌螺子８との螺合関係は、逆螺子（左螺子）となるように形成されている。よって、上記ビットスリーブ７を上記ビット１の雄螺子１ａ’に螺合させるには、ビットスリーブ７を左回しとする。これにより、開孔時は中空ロッド６を逆回転（左回転）させることにより、ビット１とスリーブ７との離脱を防止することができる。また、開孔後、ビット１を交換する際は、中空ロッドを逆回転（右回転）させることにより、スリーブ７からビット１を容易に離脱することができる。
【００４４】
上記ビットスリーブ７の上記径大管部７ａの後端部には上記径小管部７ｂに連続するテーパ環状部７ｃが設けられると共に、上記ビットスリーブ７の上記径小幹部７ｂには、上記中空ロッド６の先端部６ａの内周縁６ａ’が係合する環状段部７ｄが形成されている。上記環状段部７ｄは、径小管部７ｂにおいて、中空ロッド６側（後部側）に径が縮小する方向に設けられた段部である。
【００４５】
よって、上記中空ロッド６の先端部６ａを上記径小管部７ｂに接続した状態において、上記中空ロッド６の内周縁６ａ’が上記環状段部７ｄに当接するように構成している（図１参照）。
【００４６】
上記内周縁６ａ’が上記環状段部７ｄ当該当接した状態において、上記テーパ環状部７ｃと上記中空ロッド６先端部６ａとの間に溶接用環状溝１１が形成されるように構成されている。よって、当該溶接用環状溝１１を溶接することで（溶接部９）、上記ビットスリーブ７と上記中空ロッド６を接続固定する。このとき、溶接部９の外周は、上記ビットスリーブ７の外周面７’及び中空ロッド６の外周面６’と面一、或いは、上記外周面７’，６’から突出しないように構成する（図１参照）。
【００４７】
さらに、上記ビットスリーブ７と上記中空ロッド６とを接続した状態において、上記ビットスリーブ７の径大管部７ａの外周面７’と上記中空ロッド６の外周面６’は面一状態となるように構成されている（図１参照）。即ち、上記ビットスリーブ７の径大管部７ａの外周面７’の直径（管の直径Ｔ３）と、上記中空ロッド６の外周面６’の直径（ロッドの直径Ｔ４）は同一（Ｔ３＝Ｔ４）となるように構成されている。
【００４８】
また、上記ビットスリーブ７の上記径大管部７ａの外周面７’は、上記ビット１の繰粉排出溝４の最内周部４’と面一（図３（ａ）、図４（ａ）参照）又は上記中心軸線Ｐ側に設けられている（図３（ｂ）、図４（ｂ）参照）。また、上述のように、上記溶接部９の外周部９’も、上記ビット１の繰粉排出溝４の最内周部４’と面一又は上記中心軸線Ｐ側に設けられている。このように構成することで、ビット１の繰粉排出口４から後方側に障害物が存在しないので、出銑口の開孔時、ビット１の繰粉排出口４から円滑に繰粉を後方に排出することができる。
【００４９】
より具体的には、繰粉排出溝４が３方向（図３参照）の場合は、上記ビットスリーブ７の外周面７’が、各排出溝４の最内周部４’と面一（図３（ａ）参照）か、上記各繰粉排出溝４の各最内周部４’から各々一定距離Ｔ５だけ、中心軸線Ｐ側に位置するように構成する（図３（ｂ）参照）。上記繰粉排出溝４が４方向（図４参照）の場合は、上記ビットスリーブ７の外周面７’が、各排出溝４の最内周部４’と面一（図４（ａ）参照）か、上記各繰粉排出溝４の各最内周部４’から各々一定距離Ｔ６だけ、中心軸線Ｐ側に位置するように構成する（図４（ｂ）参照）。
【００５０】
即ち、開孔用ビット１に着目すると、上記各繰粉排出溝４の上記中心軸線Ｐ方向の深さは、中空のビットスリーブ７の雌螺子８を上記径小管部１ａに螺合した状態において、上記ビットスリーブ７の外周面７’が上記各繰粉排出溝４の各最内周部４’に一致するか、又は、上記ビットスリーブ７の上記外周面７’が上記各繰粉排出溝４の上記各最内周部４’の位置よりも、上記中心軸線Ｐ側に位置し得る深さに形成されている。
【００５１】
このように構成すると、ビット１の各繰粉排出溝４（３方向又は４方向）の後方の中空ロッド６方向に、障害物が全く存在しないので、開孔時の繰粉は上記各繰粉排出溝４（３方向又は４方向）を通って後方に円滑に排出することができるものである。ここで、上記ビットスリーブ７が接続された上記ビット１を開孔用ビット又はビットスリーブ付開孔用ビットという。
【００５２】
尚、上記「面一」とは、突き合わされた部材（面）に段差がない状態をいうが、この場合、上記最内周部４’とビットスリーブ７の径大管部７ａの外周面７’との関係のように、最内周部４’と外周縁７’とが直接突き合わされた状態をいうのは勿論であるが（図３（ａ）、図４（ａ）参照）、上記ビットスリーブ７の径大管部７ａの外周面７’と、上記中空ロッド６の外周面６’のように、両者の間に間隔（この場合溶接部９）が介在している場合においても、両面に段差がない場合に、「面一」という表現を用いる。
【００５３】
上記中空ロッド６の後端部には、上記中心軸線Ｐを中心とする中空の芯出しボス１２の径大管部１２ａを嵌合し、当該ボス１２の径小管部１２ｂに肉厚大の径小中空ロッド１３を接続し、上記ボス１２と上記径小中空ロッド１３の先端部とを溶接により固定する（溶接部１５）。これにより上記径小中空ロッド１３の中心軸線は上記中心軸線Ｐに一致し、従って、上記ビット１、ビットスリーブ７、中空ロッド６，１３の中心軸は上記中心軸線Ｐに一致する。
【００５４】
上記径小中空ロッド１３の後端部には雄螺子１４（逆螺子）が形成されており、当該雄螺子１４を既設の開孔機１５のシャンク１５’に螺合し得るように構成している。上記径小中空ロッド１３の肉厚Ｔ７は上記中空ロッド６の肉厚Ｔ２より大（Ｔ２＜Ｔ７）に形成されており、開孔装置全体の強度を維持するように構成している。
【００５５】
図５に示すものは開孔機本体であり、同開孔機本体の機枠１６の下にスライダーガイド１７を設け、当該ガイド１７に開孔機１５（油圧ハンマードリル）を前後方向にスライド可能に設け、開孔機１５のシャンク１５’に上記径小中空ロッド１３の雄螺子１４を螺合することで、上記開孔装置を上記開孔機１５に接続する。
【００５６】
図６に示すように、上記開孔機１５により上記開孔装置１０、即ち中空ロッド６，１３、及びビット１を打撃及び回転させることで、上記ビット１によって溶融炉１８の開孔部閉塞マッド１９を開孔する。
【００５７】
本発明の開孔装置は上述のように構成されているため、本発明に係る開孔装置１０を構成するには、ビット１の後端部の雄螺子１ａ’にビットスリーブ７の径大管部７ａを螺子込み（逆螺子）固定し、その後、ビットスリーブ７の径小管部７ｂを中空ロッド６の先端部６ａ内に挿入し、内周縁６ａ’を上記ビットスリーブ７の環状段部７ｄに当接させ、その状態で、溶接用環状溝１１を溶接により固定して（溶接部９）ビットスリーブ７と中空ロッド６を固定する。
【００５８】
その後、中空ロッド６の後端に芯出しボス１２の径大管部１２ａを嵌合挿入し、その後端の径小管部１２ｂに小径中空ロッド１３の先端部を挿入して両者を溶接により固定する（溶接部２３）。これにより開孔装置１０が完成する（図１参照）。
【００５９】
その後、上記中空ロッド１３の雄螺子１４を開孔機１５のシャンク１５’に螺合装着し（逆螺子）、かかる状態で、開孔機１５を回転（左回転）及び打撃を繰り返しながら開孔装置１０（ビット１）を前進させ、溶融炉１８の開孔部閉塞マッド１９を開孔する（図７参照）。このとき、開孔装置１０は、その中空ロッド６の肉厚Ｔ２は薄く、軽量であるため、開孔装置１０の撮り回し性が良く、開孔装置１０の開孔機１５への取付作業を効率的に行うことができる。
【００６０】
上記ビット１によって上記開孔部閉塞マッド１９を開孔していく際、上記マッドの繰粉は上記ビット１の各繰粉排出溝４を介して後方（中空ロッド６の方向）に排出されていくが、上記ビット１に装着されたビットスリーブ７及び中空ロッド６の外周面７’，６’、及び溶接部９における外周部９’は何れも、上記各繰粉排出溝４の各最内周部４’と面一、又は各最内周部４’より中心軸線Ｐ側に設けられているので、上記ビット１の各繰粉排出溝４の後方には障害物が存在せず、従って、上記各繰粉排出溝４から後方に繰粉を円滑に排出することができる。
【００６１】
また、上記ビット１と中空ロッド６とは、中空ロッド６の肉厚Ｔ２より厚い肉厚（Ｔ１＞Ｔ２）を有するビットスリーブ７を介して接続されているため、ビット１と上記中空ロッド６とを強固に接続固定することができる。
【００６２】
以上のように、本発明によれば、ビットスリーブ７の肉厚Ｔ１を大きくすることで、ビット１と中空ロッド６との接続部を強化しながら、中空ロッド６の肉厚Ｔ２を薄くすることができ、開孔装置全体の軽量化を実現し、ハンドリング性の良好な開孔装置を実現することができる。
【００６３】
また、上記ビットスリーブ７と上記ビット１との螺合を逆螺子としたので、開孔時は中空ロッドを逆回転（左回転）させることにより、ビット１とスリーブ７との離脱を防止することができ、また、開孔後、ビット１を交換する際は、中空ロッド６を正回転（右回転）させることにより、ビットスリーブ７からビット１を容易に離脱することができる。
【００６４】
また、中空ロッド３の先端部６ａにビットスリーブ７の径小管部７ｂを挿入することにより、溶接用環状溝１１が形成されるので、ビットスリーブ７と中空ロッド６との溶接を容易に行うことができる。
【００６５】
また、ビット１の各繰粉排出溝４の後方エリアに、繰粉の排出を阻害するものがないため、円滑に繰粉を排出することができ、開孔動作を円滑に行うことが可能な開孔装置を実現できる。
【００６６】
また、ビット１の各繰粉排出溝４の後方エリアに、繰粉の排出を阻害するものがないため、円滑に繰粉を排出することができ、開孔動作を円滑に行うことが可能な開孔用ビットを実現できる。
【００６７】
また、ビットスリーブ７を接続した状態においても、ビットスリーブ７の外周面７’がビット１の各繰粉排出溝４の各最内周部４’より外半径方向に突出することはないので、ビットスリーブ７を使用しても開孔時に円滑な繰粉排出動作を行い得る開孔用ビットを実現し得る。
【００６８】
また、ビットスリーブ７の径大管部７ａの肉厚Ｔ１を大とすることにより、開孔用ビット１と中空ロッド６の接続部の強度を確保することができ、これにより中空ロッド６の肉厚Ｔ２を比較的薄く形成することが可能となり、開孔装置の軽量化を実現することができる。
【００６９】
また、ビットスリーブ７を接続した状態においても、ビットスリーブ７の外周面７’がビット１の各繰粉排出溝４の各最内周部４’より外半径方向に突出することはないので、ビットスリーブ７を使用しても開孔時に円滑な繰粉排出動作を行い得るビットスリーブ付開孔用ビットを実現し得る。
【００７０】
尚、図２中、２１はビット１の上面の開口２２に連通し、各繰粉排出溝４に各々開口する通気孔（図３、図４参照）、図５中、２０は圧油送油ホースである。
【産業上の利用可能性】
【００７１】
本発明に係る開孔装置は、ビットと中空ロッドとの接続を強化し得ると共に開孔装置全体を軽量化することができるので、各種高炉等の開孔装置として広く使用が可能である。
【符号の説明】
【００７２】
１        ビット
１ａ      径小短管
１ａ’    雄螺子
２ａ      先端面
３        台金
４        繰粉排出溝
４’      最内周部
５        チップ
６        中空ロッド
６ａ      先端部
６ａ’    内周縁
７        ビットスリーブ
７ａ      径大管部
７ｂ      径小管部
７ｃ      テーパ環状部
７ｄ      環状段部
８        雌螺子
９        溶接部
９’      外周部
１１      溶接用環状溝
Ｔ１      肉厚（ビットスリーブの径大管部）
Ｔ２      肉厚（中空ロッド）
Ｐ        中心軸線
【図１】
0006552941.tif 000002
【図２】
0006552941.tif 000003
【図３】
0006552941.tif 000004
【図４】
0006552941.tif 000005
【図５】
0006552941.tif 000006
【図６】
0006552941.tif 000007